(57)【要約】【課題】  水栓の取付を容易としたユニットバスの壁付け水栓取付構造を提供する。【解決手段】  ユニットバスの壁付け水栓２取付構造は、給水湯配管３を壁パネル１の裏面側の空間に配設したユニットバスであり、壁パネル１は給水湯配管３の配管側接続部４が臨む配管取出口６を備え、配管取出口６を壁パネル１の表面に設けた水栓取付板７で隠蔽しており、且つ水栓取付板７を上下に対向する取付板用レール８、９により横方向にスライド自在に壁パネル１に取り付けたとともに、水栓取付板７に設けた貫通孔１０を配管側接続部４と同じ高さに位置させ、配管側接続部４と水栓２とを貫通孔１０を介して接続した。【選択図】        図１
2010053541.tif 000002
【特許請求の範囲】
【請求項１】
給水湯配管を壁パネルの裏面側の空間に配設したユニットバスであり、前記壁パネルに前記給水湯配管の配管側接続部が臨む配管取出口を備え、前記配管取出口を壁パネルの表面に設けた水栓取付板で隠蔽し、且つ前記水栓取付板を上下に対向する取付板用レールで横方向にスライド自在に前記壁パネルに取り付けるとともに、前記水栓取付板に設けた貫通孔を前記配管側接続部と同じ高さに位置させ、前記配管側接続部に前記貫通孔を介して前記水栓を接続したことを特徴とするユニットバスの壁付け水栓取付構造。
【請求項２】
前記壁パネルに前記給水湯配管を点検する点検口を前記配管取出口の上方に備え、前記点検口を前記壁パネルの表面に設けた鏡で隠蔽し、且つ前記鏡を上下に対向する鏡用レールで前記壁パネルに固定するとともに、前記鏡の下方側の鏡用レールと、前記水栓取付板の上方側の取付板用レールと、を一体もしくは互いのレール溝の裏面で当接した別体としたことを特徴とする請求項１記載のユニットバスの壁付け水栓取付構造。
【発明の詳細な説明】
【技術分野】
【０００１】
本発明は、ユニットバスの壁付け水栓取付構造に関するものである。
【背景技術】
【０００２】
ユニットバスの壁面を形成する壁パネルは、ユニットバスの床面である床パンに壁パネルを載置し、且つ開口部などから順に複数の壁パネルを隣接して横に組み合わせ構成されており、複数の壁パネルを組み合わせるため、横方向に誤差を生じやすいものである。
【０００３】
そして、壁パネルの横方向に生じる誤差により、水栓と給水湯配管との接続部を合わせずらく、従来の水栓取付構造は、壁パネルの裏面に給水湯配管を固定して配管側接続部を表面に露出した状態で、壁パネルを組み立てており、裏面に固定した給水湯配管により、壁パネルの組み立てが困難なものであった。
【０００４】
また、壁パネルの裏面を部分的に切り欠いて配管スペースとし、壁面形成時に配管スペースと嵌まるカバー部に給水湯配管を固定した壁パネルの裏面に給水湯配管を固定せずに壁パネルを組み立てるものもある（例えば、特許文献１参照）。
【０００５】
しかしながら、壁パネルの横方向に生じる誤差により、カバー部に配管スペースを嵌め込むことが困難なものであった。
【特許文献１】特開２００６−３４８６６２号公報
【発明の開示】
【発明が解決しようとする課題】
【０００６】
そこで、本発明は、上記従来の問題点に鑑みて発明したものであり、壁パネルの裏面に給水湯配管を固定せずに壁パネルを組み立てられ、且つ容易に水栓の取付を行えるユニットバスの壁付け水栓取付構造を提供するものである。
【課題を解決するための手段】
【０００７】
上記課題を解決するために、本発明のユニットバスの壁付け水栓２取付構造は、給水湯配管３を壁パネル１の裏面側の空間に配設したユニットバスであり、前記壁パネル１に前記給水湯配管３の配管側接続部４が臨む配管取出口６を備え、前記配管取出口６を壁パネル１の表面に設けた水栓取付板７で隠蔽し、且つ前記水栓取付板７を上下に対向する取付板用レール８、９で横方向にスライド自在に前記壁パネル１に取り付けるとともに、前記水栓取付板７に設けた貫通孔１０を前記配管側接続部４と同じ高さに位置させ、前記配管側接続部４に前記貫通孔１０を介して前記水栓２を接続することを特徴とするものである。
【０００８】
このような構成をすることで、壁パネル１の組み立てにより横方向の誤差が生じても、前記水栓取付板７を横方向にスライドすることで、前記配管側接続部４と前記貫通孔１０との位置を容易に調節できる。
【０００９】
また、前記壁パネル１に前記給水湯配管３を点検する点検口１１を前記配管取出口６の上方に備え、前記点検口１１を前記壁パネル１の表面に設けた鏡１４で隠蔽し、且つ前記鏡１４を上下に対向する鏡用レール１２、１３で前記壁パネル１に固定するとともに、前記鏡１４の下方側の鏡用レール１２と、前記水栓取付板７の上方側の取付板用レール９と、を一体もしくは互いのレール溝の裏面で当接した別体とすることで、前記壁パネル１の裏面側に位置する前記給水湯配管３の点検時に前記水栓２および前記水栓取付板７を外す必要が無くなり好ましい。
【発明の効果】
【００１０】
上記のように、本発明のユニットバスの壁付け水栓取付構造は、組立前の壁パネルに給水湯配管を固定する必要が無いだけでなく、配管側接続部と貫通孔との連通を水栓取付板のスライドにより調節可能としたことで、横方向に生じる誤差の影響を容易に修正できるため、水栓の取付を容易に行えるものとなる。
【００１１】
また、給水湯配管の点検時に水栓および水栓取付板を外さずに済み、且つ容易に点検口を開放できるため、給水湯配管の点検が容易になる。
【発明を実施するための最良の形態】
【００１２】
以下、本発明を添付図面に示す実施形態に基づいて説明する。
【００１３】
図１および２に示す水栓２取付構造は、ユニットバスの壁面を構成する壁パネル１と、壁パネル１に開口して設けた配管取出口６と、壁パネル１の裏面側に位置し配管取出口６に臨む配管側接続部４を備えた二本の給水湯配管３と、壁パネル１の表面に当接し上記配管取出口６を隠蔽する水栓取付板７と、水栓取付板７を壁パネル１に取り付ける上下に対向して壁パネル１に設けた取付板用レール８、９と、水栓取付板７を介して配管側接続部４に接続される水栓側接続部５を備えた水栓２と、配管取出口６の上方に位置し壁パネル１に開口された点検口１１と、点検口１１を隠蔽する鏡１４と、鏡１４を固定する上下に対向して壁パネル１に設けた鏡用レール１２、１３と、からなるものである。
【００１４】
壁パネル１の組み立てにより横方向の誤差を生じても、配管側接続部４を配管取出口６に確実に臨ませるため、配管取出口６は、配管側接続部４の位置に基づいて縦方向および横方向の寸法に余裕を持たせて、略長方形状に組立前の壁パネル１に開口したものである。
【００１５】
したがって、従来の取付孔より広く開口するため、開口位置の精度が緩くてよく、開口部の位置決めが容易となり、且つ壁パネル１の組立後に給水湯配管３を固定するため、壁パネル１の組立も容易となる。
【００１６】
また、上記水栓取付板７は、配管取出口６より寸法の大きい略長方形状の板であり、裏面に向けて貫通した貫通孔１０を二つ設けたものである。
【００１７】
水栓取付板７で配管取出口６を壁パネル１の表面側から隠蔽する時に、水栓取付板７は、貫通孔１０を配管側接続部４と略同じ高さに合せて、取付板用レール８、９で横方向にスライド自在に壁パネル１の表面に当接して取り付ける。
【００１８】
そして、水栓取付板７を取付板用レール８、９に沿って横方向にスライドさせて、貫通孔１０と配管側接続部４とを連通させ、貫通孔１０に水栓２の水栓側接続部５を挿通することで、水栓側接続部５と配管側接続部４とが接続可能となる。
【００１９】
更に、水栓側接続部５と配管側接続部４とを接続することで、水栓取付板７のスライドが抑制される。
【００２０】
また、水栓取付板７の壁パネル１に当接する裏面には、防水パッキンが裏面全体に貼付もしくは外周に沿って貼付してあり、水栓取付板７と壁パネル１との間からの壁パネル１の裏面側への水漏れを防止している。
【００２１】
なお、水栓取付板７の二つの貫通孔１０は事前に設けたものであるため、配管側接続部４と配管側接続部４との横方向の間隔は、二つの貫通孔１０の間隔に合せて調整して配管取出口６に臨ませるものである。もちろん、配管側接続部４は壁パネル１の組立の影響を受けないため、壁パネル１を組み立てても二つの配管側接続部４の間隔に誤差は生じない。
【００２２】
また、点検口１１は、鏡１４で隠蔽するため、鏡１４より小さい寸法で組立前の壁パネル１に略長方形状に開口したものである。
【００２３】
そして、給水湯配管３の点検などの壁パネル１の裏面側を点検する時に、鏡１４を外すことで点検口１１が開放され、水栓２および水栓取付板７を取り外さずに容易に壁パネル１の裏面側を確認でき、点検が容易となる。
【００２４】
また、壁パネル１に当接する鏡１４の裏面には、防水パッキンが裏面全体に貼付もしくは外周に沿って貼付してあり、鏡用レール１２、１３により壁パネル１に固定されることで、鏡１４と壁パネル１との間から壁パネル１の裏面側への水漏れを防止している。
【００２５】
なお、鏡１４の鏡用レール１２、１３による固定手段は、ユニットバスの鏡１４としての機能を損なわずに鏡１４を固定し、且つ壁パネル１の裏面側の点検時に鏡１４の着脱を容易とするものであればよい。
【００２６】
また、水栓取付板７の板厚は鏡１４と略同じ厚さであり、且つ水栓取付板７と鏡１４との横方向の寸法も略同じ寸法である。
【００２７】
そして、水栓取付板７を上方側から支持する取付板用上レール９と、鏡１４を下方側から固定する鏡用下レール１２とは、下向きの凹みを取付板用上レール９とし上向きの凹みを鏡用下レール１２としたＨ字形状の部材により一体で形成されたものである。
【００２８】
したがって、本発明の水栓２取付構造は、レールを上下の枠とし、上方に鏡１４、下方に水栓２を備えた板状のユニットを壁パネル１に設置した構成となっている。
【００２９】
なお、鏡用下レール１２と鏡用下レール１２は、一体の部材でなく別体の部材からなり、互いのレール溝の裏面を当接することで、上に鏡用下レール１２、下に鏡用下レール１２を有する一つのユニットとしてあってもよい。
【図面の簡単な説明】
【００３０】
【図１】本発明の実施例の分解斜視図である。
【図２】同上の施工完了時の斜視図である。
【符号の説明】
【００３１】
１  壁パネル
２  水栓
３  給水湯配管
４  配管側接続部
５  水栓側接続部
６  配管取出口
７  水栓取付板
８  取付板用下レール
９  取付板用上レール
１０  貫通孔
１１  点検口
１２  鏡用下レール
１３  鏡用上レール
１４  鏡
【図１】
2010053541.tif 000003
【図２】
2010053541.tif 000004